(57)【特許請求の範囲】
【請求項１】
前面壁(1)と後面壁(2)とからなる略矩形の袋状容器(P)を形成し、同袋状容器(P)の底側縁(3)の左右両端を略円弧形状にそれぞれ切欠して第１の切欠開口部（7,7）を形成するとともに、袋状容器(P)の開口側縁(6)の左右両端を略円弧形状にそれぞれ切欠して第２の切欠開口部(7,7)を形成し、さらに、前記袋状容器（P）の前面壁（1）と後面壁（2）との各開口側縁（6,6）に閉じ代（9）をそれぞれ延設し、
袋状容器（P）内に平面状に球状物を並べて収容した際には、球状物をそれぞれ各第１及び第２の切欠開口部（7,7）部分に位置させながら平面状に球状物を並べて収容し、さらに、前記前面壁（1）の閉じ代（9）と後面壁（2）の閉じ代（9）を重ね合わせて開口側縁（6）を閉じて球状物を安定して収納する構成としていることを特徴とする球状物収容容器。
【請求項２】
前面壁(1)と後面壁(2)とからなる略矩形の袋状容器(P)を形成し、同袋状容器(P)の底側縁(3)の左右両端をそれぞれ略円弧形状に切欠して第１の切欠開口部（7,7）を形成するとともに、袋状容器(P)の開口側縁(6)の略中央部分を略円弧形状に切欠して第２の切欠開口部(7’’)を形成し、さらに、切欠開口部(7’’)の両側であって、前記袋状容器（P）の前面壁（1）と後面壁（2）との各開口側縁（6,6）に閉じ代（9）をそれぞれ延設し、
袋状容器（P）内に略四面体状に球状物を組み上げて収容する際には、同各切欠開口部(7)部分にそれぞれ球状物を位置させながら略四面体状に球状物を組み上げて収容し、さらに、前記前面壁（1）の閉じ代（9）と後面壁（2）の閉じ代（9）を重ね合わせて開口側縁（6,6）を閉じると切欠開口部(7’’)が閉じ代（9,9）により２つの開口部に分割され、その各開口部分に球状物をそれぞれ位置させて球状物を安定して収納する構成としていることを特徴とする球状物収容容器。
【請求項３】
前記前面壁(1)と後面壁(2)とをそれぞれ略透明な可撓性フィルムとしたことを特徴とする請求項１または請求項２に記載の球状物収容容器。
【請求項４】
前記可撓性フィルムは、紫外線をカットするフィルムを積層して形成したことを特徴とする請求項３記載の球状物収容容器。
【請求項５】
前記前面壁(1)と後面壁(2)のうち少なくとも一方を、吸水性を有するフィルムにより形成したことを特徴とする請求項１〜４のいずれか１項に記載の球状物収容容器。
【発明の詳細な説明】
【０００１】
【発明の属する技術分野】
本発明は、球状物収容容器に関するものであり、特に、リンゴやみかんなどの略球状の果物や、タマネギなどの略球状の野菜を確実に収容し、見栄えよく陳列することができる球状物収容容器に関するものである。
【０００２】
【従来の技術】
従来、リンゴ、みかん、梨、柿などのような略球状の果物、あるいはタマネギやトマトなどのような略球状の野菜は、所定個数づつ籠に入れて店先に陳列されたり、適当な透明袋に詰め込まれて店先に陳列されたりして、販売していることが多い。
【０００３】
単価の高い商品の場合には、特別に専用の収容ケースや収容トレーが用いられており、同収容ケースや収容トレーに丁寧に包装された状態で販売されている。
【０００４】
【発明が解決しようとする課題】
しかし、上記したように、籠に入れられたり、適当な袋に入れられたりして店先に陳列する場合には段積みが困難であって、一度に大量の商品を陳列することができず、こまめに商品の補充を行わなければならなかった。
【０００５】
また、見栄えよく陳列することが困難であって、購買者に好印象を与えることができるものではなかった。
【０００６】
また、専用の収容ケースや収容トレーを使用した場合には、段積みしての陳列、及び、見栄えのよい陳列は可能であるが、同収容ケースや収容トレーのコストが高いという問題があり、さらに、購入後にはただのゴミとなることによって、ゴミの量を大きく増やしてしまうという問題があった。
【０００７】
さらに、きちんと包装されていることによって、逆に外側より商品の全体を確認することができず、購入者が商品の品定めを十分に行うことができないため、購入後に腐った部分や、キズなどを発見することがあり、購買者の心証を悪くし、評判を落とすことにもなっていた。
【０００８】
本発明の球状物収容容器は、これらの問題点を全て解決することができるものである。
【０００９】
【課題を解決するための手段】
上記の問題点を解決すべく、本発明では、前面壁と後面壁とからなる略矩形の袋状容器を形成し、同袋状容器の底側縁の左右両端を略円弧形状にそれぞれ切欠して第１の切欠開口部を形成するとともに、袋状容器の開口側縁の左右両端を略円弧形状にそれぞれ切欠して第２の切欠開口部を形成し、さらに、前記袋状容器の前面壁と後面壁との各開口側縁に閉じ代をそれぞれ延設し、袋状容器内に平面状に球状物を並べて収容した際には、球状物をそれぞれ各第１及び第２の切欠開口部部分に位置させながら平面状に球状物を並べて収容し、さらに、前記前面壁の閉じ代と後面壁の閉じ代を重ね合わせて開口側縁を閉じて球状物を安定して収納する構成としていることを特徴とする球状物収容容器を提供せんとするものである。
【００１０】
または、前面壁と後面壁とからなる略矩形の袋状容器を形成し、同袋状容器の底側縁の左右両端をそれぞれ略円弧形状に切欠して第１の切欠開口部を形成するとともに、袋状容器の開口側縁の略中央部分を略円弧形状に切欠して第２の切欠開口部を形成し、さらに、切欠開口部の両側であって、前記袋状容器の前面壁と後面壁との各開口側縁に閉じ代をそれぞれ延設し、袋状容器内に略四面体状に球状物を組み上げて収容する際には、同各切欠開口部部分にそれぞれ球状物を位置させながら略四面体状に球状物を組み上げて収容し、さらに、前記前面壁の閉じ代と後面壁の閉じ代を重ね合わせて開口側縁を閉じると切欠開口部が閉じ代により２つの開口部に分割され、その各開口部分に球状物をそれぞれ位置させて球状物を安定して収納する構成としていることを特徴とする球状物収容容器を提供せんとするものである。
【００１１】
従って、前面壁と後面壁とからなる袋状容器としていることにより、低コストであるとともに、ゴミとなる量の少ない収容容器を提供することができる。
【００１２】
また、前記前面壁と後面壁とをそれぞれ略透明な可撓性フィルムとしたことを特徴とする。
【００１３】
さらに、切欠開口部が形成されていることによって、内部の通気性を良好に保つことができ、内容物が果物である場合、果物が発するエチレンガスを効率よく排出して、果物をより長く日持ちさせることができる。
【００１４】
また、前記可撓性フィルムは、紫外線をカットするフィルムを積層して形成したことを特徴とする。
【００１５】
前記前面壁と後面壁のうち少なくとも一方を、吸水性を有するフィルムにより形成したことを特徴とする。
【００１６】
【発明の実施の形態】
本発明の球状物収容容器は、リンゴ、みかん、梨、柿などのような略球状の果物、あるいはタマネギやトマトなどのような略球状の野菜、さらには、ゴルフボールやテニスボールなどの球体を安定して収容可能とした収納容器であり、前面壁と後面壁とからなる略矩形の袋状容器となっている。
【００１７】
さらに、同袋状容器の底となる底側縁の左右両端をそれぞれ切欠するとともに、袋状容器の開口部である開口側縁の左右両端をそれぞれ切欠し、切欠開口部を形成することによって球状物収容容器として、各切欠開口部部分にそれぞれ内容物である球状物を位置させながら平面状に球状物を並べて収容している。
【００１８】
または、袋状容器の底となる底側縁の左右両端をそれぞれ切欠するとともに、袋状容器の開口部である開口側縁の略中央部分を凹状に切欠し、切欠開口部を形成することによって球状物収容容器として、各切欠開口部部分にそれぞれ内容物である球状物を位置させながら略四面体状に球状物を組み上げて収容している。
【００１９】
切欠を行うことによって、前面壁及び後面壁に弛みを生起することなく内容物を収容することができるとともに、同収容容器内で内容物が動き回ることを防止することができ、内容物の収容後に収容容器を段積みすることができるので、店先での陳列を容易とすることができる。
【００２０】
また、切欠開口部を形成したことによって収容容器内の通気性を高めることができ、特に内容物が果物の場合、同切欠開口部より果物が発するエチレンガスを効率よく排出することができるので、果物の劣化を抑制することができ、より長く日持ちさせることができる。
【００２１】
さらに、前面壁と後面壁からなる袋状の収容容器としているので、製造コストを低くおさせることができるとともに、ゴミとして排出される量も少なくすることができる。
【００２２】
また、切欠によって形成される切り口を略円弧形状とすることによって、前面壁及び後面壁に生起される弛みをより少なくすることができ、段積みしての陳列をさらに容易に行うことができる。
【００２３】
さらに、前面壁及び後面壁を略透明な可撓性フィルムとすることによって、収容後であっても収容された内容物のほぼ全体を視認することができるので、商品の確認を行いやすく、購入者は安心して品定めをすることができる。
【００２４】
また、袋状容器の開口側縁に閉じ代を延設しておくことによって、内容物の収容作業を容易に行うことができるように構成している。
【００２５】
以下において、本発明の実施例を図面に基づいて詳説する。
【００２６】
【実施例】
＜第１実施例＞
図１は第１実施例の球状物収容容器A1であり、（ａ）は正面図、（ｂ）は左側面図、（ｃ）は底面図、（ｄ）は平面図、（ｅ）は（ａ）のX1−X1断面図、（ｆ）は（ａ）のY1−Y1断面図である。背面図は正面図と対称に、また、右側面図は左側面図と対称にあらわれる。
【００２７】
球状物収容容器A1は、前面壁１と後面壁２とによって構成した略矩形の袋状容器Ｐより形成している。本実施例では、透明なポリプロピレン製の可撓性フィルムを使用しているが、ポリプロピレン製に限定するものではなく、適宜の素材のフィルムを使用してよい。
【００２８】
前面壁１及び後面壁２を透明とすることによって、内部の視認性を高めることができ、購入者は安心して品定めをすることができる。ただし、常に透明である必要はなく、必要に応じて適宜のデザインを施してもよいし、内容物によっては遮光すべく構成してもよい。
【００２９】
前面壁１及び後面壁２の厚みは内容物に合わせて適宜の厚みとしてよく、本実施例では厚みが約100 μｍであるフィルムを使用している。内容物が果物や野菜である場合には、50〜150 μｍ程度が望ましい。前面壁１と後面壁２とには必ずしも同じ厚みのフィルムを使用する必要はなく、前面壁１と後面壁２とを異なる厚み、さらには、異なる素材のフィルムとしてよい。
【００３０】
特に内容物が水分の多い果物などの場合、前面壁１と後面壁２の少なくともどちらか一方に不織布などの吸水性を有する素材のフィルムを使用することによって、同果物が腐ったり、あるいは、強い力によって押しつぶされたりした場合にしみ出してくる水分を吸水することができ、前面壁１及び後面壁２が必要以上に汚れ、見栄えが低下することを防止することができる。
【００３１】
さらに、前面壁１及び後面壁２は単層のフィルムである必要はなく、適宜の積層を施した積層フィルムであってもよい。特に、紫外線をカットするフィルムなどを積層しておくことによって、内容物が野菜や果物である場合に、紫外線による劣化を抑制すべく構成してもよい。また、フィルム表面に曇り止め加工や、抗菌処理を施しておいてもよい。
【００３２】
本実施例では、幅太の帯状フィルムを二つ折りにして、同二つ折り部分を底側縁３とし、さらに、左右側縁4,5 部分をそれぞれ熱融着するとともに切断・分離することによって、開口部となる開口側縁６を有する略矩形状の袋状容器Ｐを形成している。特に、左右側縁4,5 部分の熱融着時に、合わせて底側縁３も熱融着することによって、袋状容器Ｐを補強すべく構成している。フィルムの接合は熱融着に限定するものではなく、接着剤を用いた接合や、別途の接合部材を用いた接合としてよい。
【００３３】
袋状容器Ｐの形成は、上記の形態に限定するものではなく、例えば、単に２本の帯状フィルムを重ね合わせ、左右側縁4,5 部分及び底側縁３部分をリブ状に熱融着し、切断することによって形成してもよいし、筒状フィルムを適当な長さごとに熱融着して底側縁３を形成し、かつ、切断することによって開口側縁６を形成することによって形成してもよく、適宜の方法を使用してよい。
【００３４】
上記のように形成される袋状容器Ｐの大きさは、内容物の大きさ、及び、収容個数及び収容形態に合わせて適宜の大きさとしてよい。
【００３５】
例えば、本実施例の球状物収容容器A1は、図２に示すように、２行２列の計４個の果物を平面状に並べて収容するものであり、完全球形でない果物Ｂを、同果物Ｂと同一体積となる球で近似し、その球の半径をＲとすると、左側縁４から右側縁５までの距離は、最低( ２＋π) Ｒとなっていればよい。ただし、実際には、果物の外周形は完全球よりもずれているために、ずれの大きさに応じて( ２＋π) Ｒの1.05〜1.3 倍の長さとしている。内容物がゴルフボールやテニスボールのようなほぼ完全な球体である場合には、( ２＋π) Ｒとしてもよい。
【００３６】
また同様に、底側縁３から開口側縁６までの距離は、( ２＋π) Ｒまたは( ２＋π) Ｒの1.05〜1.3 倍の長さとなっていればよい。
【００３７】
さらに、上記のように形成した略矩形の袋状容器Ｐの底側縁左側端部3a、及び、底側縁右側端部3bを切欠して切欠開口部7,7 を形成するとともに、開口側縁左側端部6a、及び、開口側縁右側端部6bを切欠して切欠開口部7,7 を形成している（図２参照）。
【００３８】
袋状容器Ｐの四隅部分を切除して切欠開口部７を形成したことによって、同四隅部分が陳列の邪魔となることを防止することができるとともに、各切欠開口部７部分にそれぞれ球状の内容物を位置させながら収容することによって、前面壁１及び後面壁２に弛みが生じることを防止して、見栄えよく陳列を行うことができる。
【００３９】
また、特に本実施例では、切欠によって形成される切り口８を円弧形状としたことによって、内容物を収容した際に前面壁１及び後面壁２に生起される弛みをなくして、内容物が球状物収容容器A1内で動き回ることを防止することができる。
【００４０】
円弧形状の円弧の半径は、最大πＲ／２までであればどのような大きさとしてもよいが、Ｒ〜πＲ／２であることが望ましい。この大きさとすることによって、前面壁１及び後面壁２に弛みを生起することなく内容物を収容することができるとともに、球状物収容容器A1内で内容物が動き回ることを防止することができ、内容物の収容後に同球状物収容容器A1を段積みすることができる。
【００４１】
切欠によって形成される切り口８は円弧形状に限定するものではなく、他の形状としてもよいが、内容物の保護と、前面壁１及び後面壁２の弛みの防止を最も良好とすることができるのは円弧形状である。
【００４２】
ゴルフボールなどのように保護を必要としない内容物の場合には、各切欠開口部７部分にそれぞれ位置させた内容物を、同切欠開口部７より露出させながら収容することもできる。
【００４３】
その場合、例えば図３に示すように、底側縁左側端部3aを次に説明するような形状に切欠してもよい。ここでは、便宜上、底側縁左側端部3aについてのみ説明するが、それ以外の底側縁右側端部3b、開口側縁左側端部6a、開口側縁右側端部6bも同様に切欠してよい。
【００４４】
まず、図３の符号Ｑで示す底側縁３と左側縁４との交点からπＲ／２離れた底側縁３の部分から、左側縁４と平行に所定長さの第一切り口11を形成し、次いで、交点ＱからπＲ／２離れた左側縁４の部分から、底側縁３と平行に所定長さの第二切り口12を形成する。
【００４５】
さらに、同第一切り口11及び第二切り口12と接する仮想円13を想定し、第一切り口11と第二切り口12と接続する仮想円13の四分の一の円弧を円弧状切り口14として切り口８を形成する。
【００４６】
仮想円13の大きさは、内容物の大きさに合わせて適宜の大きさとしてよいが、内容物がテニスボールのように弾性を有する場合には、図３（ａ）に示すように仮想円13は大きい方が望ましく、逆に、ゴルフボールなどのように硬質球である場合には、図３（ｂ）に示すように、仮想円13を比較的小さくすることができる。
【００４７】
上述したように形成した袋状容器Ｐにおいて、さらに、開口側縁６に閉じ代９を延設することによって球状物収容容器A1としている。同閉じ代９の長さは、約0.5 〜３cm程度であればよく、さらに、前面壁１と後面壁２の両方にそれぞれ延設するのではなく、どちらか一方にのみ延設してもよい。
【００４８】
また、閉じ代９を設けることによって、図２に示すように、同閉じ代９を重ね合わせて開口側縁６を閉じることができるので、内容物を確実に球状物収容容器A1内に保持することができる。
【００４９】
切り口８を形成した球状物収容容器A1に、図２に示すように、２行２列計４個の果物Ｂなどの内容物をそれぞれ各切欠開口部７部分に位置させながら平面状に並べて収納し、閉じ代９部分を重ね合わせ、粘着テープ10を用いて封をしている。
【００５０】
粘着テープ10を用いるのではなく、図４に示すように両面テープ15を使用して閉じ代９部分を重ね合わせるべく構成してもよい。あるいは、図５に示すように、前面壁１と後面壁２のどちらか一方（図５では前面壁１）の開口側縁６に、先端に係止爪16,16 を形成した係止片17を形成し、かつ、他方（図５では後面壁２）に同係止片17を挿入可能な挿入口18を形成して、係止爪16,16 を係合させることによって封をすべく構成してもよい。
【００５１】
本実施例では、前面壁１と後面壁２に形成する切り口８は同一形状に形成しているが、同一形状に限定するものではなく、内容物の形状に合わせて、図６に示すように、前面壁１と後面壁２とで異なる形状の切り口8'を形成してもよい。
【００５２】
切り口8'の形状を調整することによって、図７に示すように、リンゴB'のように上方部分が下方部分よりも径方向に大きく膨出したような形状となっている内容物、逆に、下方部分が上方部分よりも径方向に大きく膨出したような形状となっている内容物であっても、前面壁１と後面壁２に弛みを生起することなく、確実に収容することができる。
【００５３】
また、本実施例では、一旦袋状容器Ｐを形成し、その後、底側縁左側端部3a、底側縁右側端部3b、開口側縁左側端部6a、開口側縁右側端部6bを切欠することによって球状物収容容器A1としているが、あらかじめ底側縁左側端部3a、底側縁右側端部3b、開口側縁左側端部6a、開口側縁右側端部6bに相当する部分を切欠した前面壁１と後面壁２とを重ね合わせて接合し、底側縁３、左側縁４、右側縁５を形成してもよい。
【００５４】
球状物収容容器A1に収容される内容物の個数は、２行２列の計４個に限定するものではなく、図８に示すように、１行２列の計２個としても、さらにはそれ以外の収容個数を平面状に並べて収容すべく構成してもよい。
【００５５】
図９は図８の球状物収容容器A1' を示しており、（ａ）は正面図、（ｂ）は左側面図、（ｃ）は底面図、（ｄ）は平面図である。背面図は正面図と対称に、また、右側面図は左側面図と対称にあらわれる。１行２列の計２個を収容する場合には、それに合わせて左側縁４から右側縁５までの距離、あるいは、底側縁３から開口側縁６までの距離を適宜調整し、かつ、その寸法的な制限にともなって、底側縁左側端部3a、底側縁右側端部3b、開口側縁左側端部6a、開口側縁右側端部6bの切欠を、２行２列の計４個の場合よりもやや小さめに行っている。
【００５６】
また、図８に示すように、球状物収容容器A1,A1'に収容される内容物が外的衝撃に弱い場合には、内容物をネット状緩衝材19で環囲して、球状物収容容器A1,A1'に収容してもよい。
【００５７】
＜第２実施例＞
図１０は第２実施例の球状物収容容器A2であり、（ａ）は正面図、（ｂ）は左側面図、（ｃ）は底面図、（ｄ）は平面図、（ｅ）は（ａ）のX2−X2断面図、（ｆ）は（ａ）のY2−Y2断面図である。背面図は正面図と対称に、また、右側面図は左側面図と対称にあらわれる。
【００５８】
第２実施例の球状物収容容器A2では、第１実施例の球状物収容容器A1と開口側縁６に形成する切欠の位置が異なるだけであり、それ以外の点に関しては第１実施例の球状物収容容器A1と同じである。従って、第１実施例の球状物収容容器A1の説明で用いた符号と同一符号を用いた構成要素は、第１実施例と同一の構成要素を示しており、説明は省略する。
【００５９】
第２実施例の球状物収容容器A2では、底側縁左側端部3aと底側縁右側端部3bとを切欠するとともに、袋状容器Ｐの開口側縁６の略中央部分6cを凹状に切欠し、図１１に示すように、内容物を略四面体状に組み上げた状態で収容した際に、同略四面体状の頂部部分に切欠開口部7,7"が位置すべく構成している。
【００６０】
従って、前面壁１及び後面壁２に弛みを生起することなく内容物を収容することができるとともに、収容した内容物が球状物収容容器A2内で動き回ることを防止することができ、見た目に斬新で、購買者の注目を集めて購買意欲を掻き立てる球状物収容容器A2とすることができる。
【００６１】
また、切欠による切り口8,8"を円弧形状とすることによって、球状物収容容器A2に内容物を収容した際に、さらに前面壁１及び後面壁２が弛むことを防止することができ、見栄えよく陳列を行うことができる。
【００６２】
また、切り口8,8"の形状は円弧形状に限定するものではなく、図３を用いながら説明したように、直交状態にある第一切り口11と第二切り口12とを円弧状切り口14で接続した切り口８の形状と同様の形状としてもよい。
【００６３】
開口側縁６の切欠を行っていない部分には閉じ代９を延設して、粘着テープ10などによって封をすべく構成しており、同閉じ代９を延設することによって、内容物の収容作業を容易に行うことができるとともに、内容物の確実な収容を行うことができる。
【００６４】
【発明の効果】
請求項１記載の本発明によれば、前面壁と後面壁とからなる略矩形の袋状容器を形成し、同袋状容器の底側縁の左右両端を略円弧形状にそれぞれ切欠して第１の切欠開口部を形成するとともに、袋状容器の開口側縁の左右両端を略円弧形状にそれぞれ切欠して第２の切欠開口部を形成し、さらに、前記袋状容器の前面壁と後面壁との各開口側縁に閉じ代をそれぞれ延設し、袋状容器内に平面状に球状物を並べて収容した際には、球状物をそれぞれ各第１及び第２の切欠開口部部分に位置させながら平面状に球状物を並べて収容し、さらに、前記前面壁の閉じ代と後面壁の閉じ代を重ね合わせて開口側縁を閉じて球状物を安定して収納する構成としていることによって、前面壁及び後面壁に弛みを生起することなく内容物を収容することができ、段積みによる陳列の可能な球状物収容容器を提供することができる。また、球状物収容容器を低コストで製造することができるとともに、使用後にゴミとなる量を削減することができる。切欠開口部を略円弧形状としたことによって、前面壁及び後面壁に弛みが生起されることを防止することができ、球状物収容容器内で内容物が動き回ることを防止することができるので、見栄えのよい陳列を行うことができる。袋状容器の開口側縁に閉じ代を延設していることによって、内容物の収容作業を容易に行うことができ、作業効率を高めることができる。
【００６５】
さらに、切欠開口部を形成したことによって球状物収容容器内の通気性を高めることができ、内容物が果物の場合に発生するエチレンガスを効率よく排出することができるので、果物の劣化を防止して、より長く日持ちさせることができる。
【００６６】
請求項２記載の本発明によれば、前面壁と後面壁とからなる略矩形の袋状容器を形成し、同袋状容器の底側縁の左右両端をそれぞれ略円弧形状に切欠して第１の切欠開口部を形成するとともに、袋状容器の開口側縁の略中央部分を略円弧形状に切欠して第２の切欠開口部を形成し、さらに、切欠開口部の両側であって、前記袋状容器の前面壁と後面壁との各開口側縁に閉じ代をそれぞれ延設し、袋状容器内に略四面体状に球状物を組み上げて収容する際には、同各切欠開口部部分にそれぞれ球状物を位置させながら略四面体状に球状物を組み上げて収容し、さらに、前記前面壁の閉じ代と後面壁の閉じ代を重ね合わせて開口側縁を閉じると切欠開口部が閉じ代により２つの開口部に分割され、その各開口部分に球状物をそれぞれ位置させて球状物を安定して収納する構成としていることによって、段積みしての陳列が容易であって、かつ、斬新な収容形態を提供することができ、購買者の購買意欲を掻き立てることができる。切欠開口部を略円弧形状としたことによって、前面壁及び後面壁に弛みが生起されることを防止することができ、球状物収容容器内で内容物が動き回ることを防止することができるので、見栄えのよい陳列を行うことができる。袋状容器の開口側縁に閉じ代を延設していることによって、内容物の収容作業を容易に行うことができ、作業効率を高めることができる。
【００６７】
また、低コストで製造することができ、かつ、使用後にゴミとなる量を削減することができ、さらに、切欠開口部を形成したことによって球状物収容容器内の通気性を高めることができ、上述したのと同様に、内容物が果物の場合には劣化を防止して、より長く日持ちさせることができる。
【００６８】
請求項３記載の本発明によれば、前面壁と後面壁とをそれぞれ略透明な可撓性フィルムとしたことによって、内容物の収容後であっても、収容された内容物のほぼ全体を視認することができ、購買者が安心して品定めをすることができる。
【００６９】
請求項４記載の本発明によれば、可撓性フィルムは、紫外線をカットするフィルムを積層して形成したことによって、内容物が野菜や果物である場合に、紫外線による劣化を抑制することができる。
【００７０】
また、特に、切欠開口部が形成されていることによって、同切欠開口物から内容物を直に触ることができるので、内容物である果物や野菜の鮮度を確認しやすくすることができ、購買者の安心感をさらに高めて、購買意欲を掻き立てることができる。
【００７１】
請求項５記載の本発明によれば、前面壁と後面壁のうち少なくとも一方を、吸水性を有するフィルムにより形成したことによって、特に内容物が水分の多い果物などの場合、同果物が腐ったり、あるいは、強い力によって押しつぶされたりした場合にしみ出してくる水分を吸水することができ、前面壁及び後面壁が必要以上に汚れ、見栄えが低下することを防止することができる。
【図面の簡単な説明】
【図１】第１実施例の球状物収容容器の説明図である。
【図２】第１実施例の球状物収容容器の使用状態を示す斜視図である。
【図３】切り口の形状の他の実施例の説明図である。
【図４】他の実施例の使用状態を示す斜視図である。
【図５】他の実施例の使用状態を示す斜視図である。
【図６】他の実施例の球状物収容容器を示す正面図である。
【図７】他の実施例の使用状態を示す斜視図である。
【図８】他の実施例の使用状態を示す斜視図である。
【図９】他の実施例の球状物収容容器を示す正面図である。
【図１０】第２実施例の球状物収容容器を示す正面図である。
【図１１】第２実施例の球状物収容容器の使用状態を示す正面図である。
【符号の説明】
A1,A1',A2 球状物収容容器
Ｂ  果物
Ｐ  袋状容器
１  前面壁
２  後面壁
３  底側縁
3a  底側縁左側端部
3b  底側縁右側端部
４  左側縁
５  右側縁
６  開口側縁
6a  開口側縁左側端部
6b  開口側縁右側端部
7,7"    切欠開口部
8,8',8" 切り口
９  閉じ代
10  粘着テープ
【図１】
0004382212.tif 000002
【図２】
0004382212.tif 000003
【図３】
0004382212.tif 000004
【図４】
0004382212.tif 000005
【図５】
0004382212.tif 000006
【図６】
0004382212.tif 000007
【図７】
0004382212.tif 000008
【図８】
0004382212.tif 000009
【図９】
0004382212.tif 000010
【図１０】
0004382212.tif 000011
【図１１】
0004382212.tif 000012